(57)【要約】  本発明は、コネクタに関する。このコネクタは、ハウジングと、基板と電気的に接触するようにハウジング上に配置されている複数の端子と、ハウジングの２つの端部それぞれから延在している一対のアームと、アームそれぞれに形成される第１の突出部分及び第２の突出部分と、アームそれぞれの長さ方向に沿って配置され、第１の凹所と第１の突出部分との間に第１のバッファスペースが設けられた状態で第１の突出部分第１の突出部分と係合するための押さえ部分及び第１の凹所を有している金属部材とを備えている。金属部材は、第２の突出部分から第２のバッファスペースで離間して配置されている。押さえ部分が基板にはんだ付けされた場合には、第１の突出部分又は第２の突出部分が、基板又はハウジングの過度の歪みを修正する。
2009524906.tif 000002
【特許請求の範囲】
【請求項１】
両端部を有しているハウジング（１０２）と、
基板と電気的に接触するために前記ハウジング上に配置されている複数の端子（１０４）と、
前記ハウジング（１０２）の前記両端部それぞれから延在している一対のアーム（１０６）と、
一対の前記アーム（１０６）それぞれに形成されている第１の突出部分（１０８）及び第２の突出部分（１１０）と、
押さえ部分（１１４）及び第１の凹所（１１６）を含んでいる金属部材（１１２）と、
を備えているコネクタ（１００）であって、
前記金属部材（１１２）が前記アーム（１０６）それぞれに沿って取り外し可能に配置された場合に、前記第１の凹所（１１６）は、前記第１の凹所と前記第１の突出部分との間に第１のバッファスペース（１３０）が設けられた状態で前記第１の突出部分（１０８）を収容可能とされ、且つ、前記金属部材（１１２）は、前記第２の突出部分（１１０）から第２のバッファスペース（１４０）で離間して配置されるので、
これにより前記押さえ部分（１１４）が前記基板にはんだ付けされた場合には、前記第１の突出部分（１０８）又は前記第２の突出部分（１１０）によって、前記基板又は前記ハウジング（１０２）の過度な変形が防止されることを特徴とするコネクタ。
【請求項２】
前記金属部材（１１２）には、前記アーム（１０６）の過度な偏向を防止するためにストッパ部分（１２０）が形成されていることを特徴とする請求項１に記載のコネクタ。
【請求項３】
前記ハウジング（１０２）には、ピボット（１３４）が形成され、
前記金属部材（１１２）には、前記ピボット（１３４）に係合するために第２の凹所が形成されていることを特徴とする請求項１に記載のコネクタ。
【請求項４】
前記第１のバッファスペース（１３０）が０．２ｍｍであることを特徴とする請求項１に記載のコネクタ。
【請求項５】
前記第２のバッファスペース（１４０）が０．２ｍｍであることを特徴とする請求項１に記載のコネクタ。
【発明の詳細な説明】
【技術分野】
【０００１】
本発明は、コネクタに関する。具体的には、高温及び外力によって容易に変形しないコネクタに関する。
【背景技術】
【０００２】
近年、電子製品は小型且つ軽量化を目指している。従って、電子製品の製造に使用される電気装置も小型化を目指している。
【０００３】
様々な電子製品において、コネクタが信号を伝送するために使用されている。図１は、従来のコネクタを表わす。従来のコネクタは、電子製品に接続された場合に、例えばストーブのような高温環境に曝されるか、又は外力、例えば不適切な手作業や機械的な寸法誤差によって発生する力の影響を受けることを避けることができない。高温及び外力の影響によって、幾つかの要素、例えばプラスチック製ハウジングやプリント回路基板に歪が生じ、これによりコネクタを正確に組み立てることができない場合がある。
【発明の開示】
【発明が解決しようとする課題】
【０００４】
本発明は、上述の問題を解決するために、高温や外力の影響を受ける場合であっても、例えばプリント回路基板のような電子製品に正確に固定された状態を維持可能なコネクタを提供する。
【課題を解決するための手段】
【０００５】
本発明の一の実施例におけるコネクタは、２つの端部を有しているハウジング（１０２）と、基板と電気的に接触するためにハウジング上に配置されている複数の端子（１０４）と、ハウジング（１０２）の２つの端部それぞれから延在している一対のアーム（１０６）と、一対のアーム（１０６）それぞれに形成されている第１の突出部分（１０８）及び第２の突出部分（１１０）と、押さえ部分（１１４）及び第１の凹所（１１６）を含んでいる金属部材（１１２）とを備えているコネクタ（１００）であって、金属部材（１１２）がアーム（１０６）それぞれに沿って取り外し可能に配置された場合に、第１の凹所（１１６）は、第１の凹所と第１の突出部分との間に第１のバッファスペース（１３０）が設けられた状態で第１の突出部分（１０８）を収容可能とされ、且つ、金属部材（１１２）は、第２の突出部分（１１０）から第２のバッファスペース（１４０）で離間して配置されるので、これにより押さえ部分（１１４）が基板にはんだ付けされた場合には、第１の突出部分（１０８）又は第２の突出部分（１１０）によって、基板又はハウジング（１０２）の過度な変形が防止されることを特徴とする。
【０００６】
添付図面を参照することによって、本発明を理解することができる。
【発明を実施するための最良の形態】
【０００７】
図２は、本発明のコネクタにおける一実施例を表わす。コネクタ１００は、ハウジング１０２及び金属部材１１２を備えている。図３は、図２のコネクタの分解概略図である。ハウジング１０２はピボット１３４を備えており、金属部材１１２は各アーム１０６に沿って取り外し可能に配置されている。図２を参照すると、ハウジング１０２には、電子製品に接続するための複数の導電端子１０４が設けられている。当該実施例における電子製品とは、プリント回路基板である。アーム１０６はハウジング１０２の両端部から延在しており、前記アームそれぞれには、第１の突出部分１０８及び第２の突出部分１１０が形成されている。図３を参照すると、金属部材１１２には、押さえ部分１１４及び第１の凹所１１６が形成されている。当該実施例では、押さえ部分１１４は、コネクタ１００をプリント回路基板（図示しない）に固定する（例えば、はんだ付けする）ために使用される。
【０００８】
図４は、図２のコネクタの部分概略図である。アーム１０６の第１の突出部分１０８は、金属部材１１２の第１の凹所１１６に収容されている。金属部材１１２には、アーム１０６の過度な偏向を防止するためにストッパ部分１２０が形成されている。図４に表わすコネクタの一部を概略的に拡大した図５Ａ及び図５Ｂを参照する。当該実施例では、第１の凹所１１６は、第１の凹所と第１の突出部分との間に第１のバッファスペース１３０が設けられた状態で第１の突出部分１０８を収容可能とされ、金属部材１１２は、第２の突出部分（１１０）から第２のバッファスペース（１４０）で離間して配置されている。
【０００９】
別の実施例では、好ましくは第１のバッファスペース１３０は０．２ｍｍであり、好ましくは第２のバッファスペース１４０は０．２ｍｍとされる。しかしながら、他の実施例における第１のバッファスペース１３０及び第２のバッファスペース１４０は、０．２ｍｍに限定される訳ではなく、コネクタの構造的特徴に基づいて調整可能とされる。金属部材１１２の押さえ部分（１１４）は、コネクタの要素を組み立てる際にプリント回路基板にはんだ付けされる。このはんだ付け工程の間に、プリント回路基板及び／又はハウジングが熱や外力によって捩れるか又は歪む場合がある。第１のバッファスペース１３０及び第２のバッファスペース１４０によって、プリント回路基板又はハウジング１０２の捩れや歪みが許容され、コネクタ１００がプリント回路基板に正確に固定された状態を維持することができる。
【００１０】
上述の実施例が本発明の好ましい実施例にすぎないということに留意すべきである。改良発明は、本発明の技術的思想に従って為されるものであり、改良発明の機能は、本明細書及び図面に含まれる本発明の技術的思想から逸脱せず、本発明の技術的範囲に属するものである。
【図面の簡単な説明】
【００１１】
【図１】従来のコネクタを表わす。
【図２】本発明の一の実施例におけるコネクタの概略図である。
【図３】図２に表わすコネクタの分解概略図である。
【図４】図２に表わすコネクタの部分概略図である。
【図５Ａ】図４に表わすコネクタの部分拡大概略図である。
【図５Ｂ】図４に表わすコネクタの部分拡大概略図である。
【符号の説明】
【００１２】
１００  コネクタ
１０２  ハウジング
１０４  端子
１０６  アーム
１０８  第１の突出部分
１１０  第２の突出部分
１１２  金属部材
１１４  押さえ部分
１１６  第１の凹所
１２０  ストッパ部分
１３０  第１のバッファスペース
１３４  ピボット、枢支部
１４０  第２のバッファスペース
【図１】
2009524906.tif 000003
【図２】
2009524906.tif 000004
【図３】
2009524906.tif 000005
【図４】
2009524906.tif 000006
【図５Ａ】
2009524906.tif 000007
【図５Ｂ】
2009524906.tif 000008
【国際調査報告】
2009524906.tif 000009
2009524906.tif 000010